(57)【特許請求の範囲】
【請求項１】
絶縁性基材と前記絶縁性基材の少なくとも一方の表面に設けられた配線とを含む配線シートと、
基板と前記基板の少なくとも一方の表面上に設けられた電極とを有する太陽電池セルと、
前記配線シートの前記配線と前記太陽電池セルの前記電極との間に設置された導電性物質と、
前記配線シートと前記太陽電池セルとを機械的に接続する固定樹脂と、を含み、
前記配線は、前記配線シート上に設置される前記太陽電池セルの周縁部に対向する前記配線シートの領域の少なくとも一部と、前記太陽電池セルと対向しない前記配線シートの領域の少なくとも一部とに跨って形成された窪みを有し、
前記固定樹脂は、前記太陽電池セルの周縁部に接するように前記窪みに設けられている、配線シート付き太陽電池セル。
【請求項２】
前記窪みは、前記絶縁性基材の表面が露出している領域であって、前記配線に囲まれている領域である、請求項１に記載の配線シート付き太陽電池セル。
【請求項３】
前記固定樹脂は、紫外線の照射および加熱の少なくとも一方の処理によって硬化する絶縁性樹脂である、請求項１または２に記載の配線シート付き太陽電池セル。
【請求項４】
請求項１から３のいずれかに記載の配線シート付き太陽電池セルを含む、太陽電池モジュール。
【請求項５】
基板と前記基板の少なくとも一方の表面上に設けられた電極とを含む太陽電池セルと、
絶縁性基材と前記絶縁性基材の少なくとも一方の表面に設けられた配線とを含む配線シートと、
前記配線シートの前記配線と前記太陽電池セルの前記電極との間に設置された導電性物質と、
前記配線シートと前記太陽電池セルとを機械的に接続する固定樹脂と、を含み、
前記電極と前記太陽電池セルの周縁部との間の少なくとも一部の領域に樹脂流動阻止部が設けられ、前記樹脂流動阻止部は、前記周縁部の所定の箇所を囲うように連続して形成されており、
前記固定樹脂は、前記太陽電池セルの前記所定の箇所を含み、前記樹脂流動阻止部よりも外側に位置するように前記配線シート上に設けられている、配線シート付き太陽電池セル。
【請求項６】
前記樹脂流動阻止部は、前記電極と同一の材質から形成されている、請求項５に記載の配線シート付き太陽電池セル。
【請求項７】
前記固定樹脂は、紫外線の照射および加熱の少なくとも一方の処理によって硬化する絶縁性樹脂である、請求項５または６に記載の配線シート付き太陽電池セル。
【請求項８】
請求項５から７のいずれかに記載の配線シート付き太陽電池セルを含む、太陽電池モジュール。
【請求項９】
基板と前記基板の少なくとも一方の表面上に設けられた電極とを有する太陽電池セルと、
絶縁性基材と前記絶縁性基材の少なくとも一方の表面に設けられた配線とを有し、前記配線には窪みが形成されている配線シートと、
前記配線シートの前記配線と前記太陽電池セルの前記電極との間に設置された導電性物質と、
前記配線シートと前記太陽電池セルとを機械的に接続する固定樹脂と、を含む配線シート付き太陽電池セルを製造するための方法であって、
前記太陽電池セルの前記電極と前記配線シートの前記配線との間に導電性粒子を含む樹脂を設置する工程と、
前記太陽電池セルの前記電極が前記配線シートの前記配線と対向するように前記太陽電池セルと前記配線シートとの位置合わせをする工程と、
前記太陽電池セルの周縁部の少なくとも一部の領域と前記配線シートの前記窪みとの間に、前記導電性粒子を含む前記樹脂とは間隔を空けて前記固定樹脂を設置する工程と、
前記固定樹脂を硬化する工程と、
前記導電性粒子を含む前記樹脂を硬化する工程と、を含む、配線シート付き太陽電池セルの製造方法。
【請求項１０】
基板と前記基板の少なくとも一方の表面上に設けられた電極とを有し、前記電極と前記基板の周縁部との間の少なくとも一部の領域に、前記周縁部の所定の箇所を囲うように樹脂流動阻止部が連続して形成されている太陽電池セルと、
絶縁性基材と前記絶縁性基材の少なくとも一方の表面に設けられた配線とを有する配線シートと、
前記配線シートの前記配線と前記太陽電池セルの前記電極との間に設置された導電性物質と、
前記配線シートと前記太陽電池セルとを機械的に接続する固定樹脂と、を含む配線シート付き太陽電池セルを製造するための方法であって、
前記太陽電池セルの前記電極と前記配線シートの前記配線との間に導電性粒子を含む樹脂を設置する工程と、
前記太陽電池セルの前記電極が前記配線シートの前記配線と対向するように前記太陽電池セルと前記配線シートとの位置合わせをする工程と、
前記太陽電池セルの前記所定の箇所を含み、前記樹脂流動阻止部の外側の領域に位置するように、前記導電性粒子を含む前記樹脂とは間隔を空けて前記固定樹脂を設置する工程と、
前記固定樹脂を硬化する工程と、
前記導電性粒子を含む前記樹脂を硬化する工程と、を含む、配線シート付き太陽電池セルの製造方法。
【請求項１１】
前記導電性粒子を含む前記樹脂を硬化する工程においては、前記導電性粒子が溶融して凝集した後に固化することによって形成された前記導電性物質によって前記電極と前記配線とが電気的に接続される、請求項９または１０に記載の配線シート付き太陽電池セルの製造方法。
【請求項１２】
前記固定樹脂を硬化する工程は、紫外線の照射および加熱の少なくとも一方の処理によって前記固定樹脂を硬化する工程を含む、請求項９から１１のいずれかに記載の配線シート付き太陽電池セルの製造方法。
【請求項１３】
基板と前記基板の少なくとも一方の表面上に設けられた電極とを有する太陽電池セルと、
絶縁性基材と前記絶縁性基材の少なくとも一方の表面に設けられた配線とを有し、前記配線には窪みが形成されている配線シートと、
前記配線シートの前記配線と前記太陽電池セルの前記電極との間に設置された導電性物質と、
前記配線シートと前記太陽電池セルとを機械的に接続するための固定樹脂と、を含む配線シート付き太陽電池セルを封止材によって封止した太陽電池モジュールを製造するための方法であって、
前記太陽電池セルの前記電極と前記配線シートの前記配線との間に導電性粒子を含む樹脂を設置する工程と、
前記太陽電池セルの前記電極が前記配線シートの前記配線と対向するように前記太陽電池セルと前記配線シートとの位置合わせをする工程と、
前記太陽電池セルの周縁部の少なくとも一部の領域と前記配線シートの前記窪みとの間に、前記導電性粒子を含む前記樹脂とは間隔を空けて前記固定樹脂を設置する工程と、
前記固定樹脂を硬化する工程と、
前記固定樹脂を硬化する工程で前記配線シートに仮固定された前記太陽電池セルを前記封止材によって封止する工程と、を含み、
前記封止材によって封止する工程は、前記導電性粒子を含む前記樹脂を硬化する工程を含む、太陽電池モジュールの製造方法。
【請求項１４】
基板と前記基板の少なくとも一方の表面上に設けられた電極とを有し、前記電極と前記基板の周縁部との間の少なくとも一部の領域に、前記周縁部の所定の箇所を囲うように樹脂流動阻止部が連続して形成されている太陽電池セルと、
絶縁性基材と前記絶縁性基材の少なくとも一方の表面に設けられた配線とを有する配線シートと、
前記配線シートの前記配線と前記太陽電池セルの前記電極との間に設置された導電性物質と、
前記配線シートと前記太陽電池セルとを機械的に接続するための固定樹脂と、を含む配線シート付き太陽電池セルを封止材によって封止した太陽電池モジュールを製造するための方法であって、
前記太陽電池セルの前記電極と前記配線シートの前記配線との間に導電性粒子を含む樹脂を設置する工程と、
前記太陽電池セルの前記電極が前記配線シートの前記配線と対向するように前記太陽電池セルと前記配線シートとの位置合わせをする工程と、
前記太陽電池セルの前記所定の箇所を含み、前記樹脂流動阻止部の外側の領域に位置するように、前記導電性粒子を含む前記樹脂とは間隔を空けて前記固定樹脂を設置する工程と、
前記固定樹脂を硬化する工程と、
前記固定樹脂を硬化する工程で前記配線シートに仮固定された前記太陽電池セルを前記封止材によって封止する工程と、を含み、
前記封止材によって封止する工程は、前記導電性粒子を含む前記樹脂を硬化する工程を含む、太陽電池モジュールの製造方法。
【発明の詳細な説明】
【技術分野】
【０００１】
本発明は、配線シート付き太陽電池セル、太陽電池モジュール、配線シート付き太陽電池セルの製造方法および太陽電池モジュールの製造方法に関する。
【背景技術】
【０００２】
近年、特に地球環境の保護の観点から、太陽光エネルギを電気エネルギに変換する太陽電池セルは次世代のエネルギ源としての期待が急激に高まっている。太陽電池セルの種類には、化合物半導体を用いたものや有機材料を用いたものなどの様々なものがあるが、現在、シリコン結晶を用いた太陽電池セルが主流となっている。
【０００３】
現在、最も多く製造および販売されている太陽電池セルは、太陽光が入射する側の面（受光面）にｎ電極が形成されており、受光面と反対側の面（裏面）にｐ電極が形成された構成の両面電極型太陽電池セルである。
【０００４】
たとえば特許文献１（特開２００５−３４０３６２号公報）には、太陽電池セルの受光面には電極を形成せず、太陽電池セルの裏面のみにｎ電極およびｐ電極を形成した裏面電極型太陽電池セルが開示されている。
【０００５】
また、特許文献１には、裏面電極型太陽電池セルの電極と配線シートの配線とを電気的に接続する技術が開示されている。
【０００６】
特許文献２（ＷＯ２００９／０６０７５３号公報）には、裏面電極型太陽電池セルの電極と配線シートの配線とを直接接触することによってこれらを電気的に接続する技術が開示されている。また、特許文献２には、固定テープによって裏面電極型太陽電池セルが配線シートに仮止めされた後に透明基板と保護シートとの間の封止材によって封止される技術が開示されている。
【先行技術文献】
【特許文献】
【０００７】
【特許文献１】特開２００５−３４０３６２号公報
【特許文献２】ＷＯ２００９／０６０７５３号公報
【発明の概要】
【発明が解決しようとする課題】
【０００８】
特許文献２においては、裏面電極型太陽電池セルと配線シートとを封止材によって封止し、封止材の固定力によって裏面電極型太陽電池セルの電極と配線シートの配線とを圧着して直接接触させている。また、高変換効率および高信頼性を得るために、特許文献１に記載されているように、はんだなどの導電性材料で電極と配線とを接続する技術の開発も進められている。
【０００９】
しかしながら、特許文献１に記載されている技術のように、電極と配線とをはんだによって接続しただけでは裏面電極型太陽電池セルと配線シートとの機械的な接続強度が十分ではないという問題があった。特に、裏面電極型太陽電池セルの電極に直接応力がかかった場合には、裏面電極型太陽電池セルの電極と配線シートの配線とが剥離して、これらの部材の電気的な接続が保持できなくなるという問題もあった。
【００１０】
以上の問題を解決する手段として、はんだなどの導電性粒子を含む絶縁性樹脂を電極または配線に塗布した後に加熱することによって、導電性粒子が溶融して凝集した後に冷却されて固化してなる導電性物質により電極と配線とを電気的に接続するともに、絶縁性樹脂を裏面電極型太陽電池セルの電極間の基板領域と配線シートの配線間の絶縁性基材領域との間の領域に押し出して硬化することによって、裏面電極型太陽電池セルと配線シートとを機械的に接続する技術の開発も進められている。
【００１１】
この技術においては、導電性物質により電極と配線とを電気的に接続することができるとともに、裏面電極型太陽電池セルの電極および配線シートの配線にそれぞれ直接応力がかかることを抑制することができる。そのため、この技術は、大電流かつ高信頼性が要求される太陽電池モジュール用の電極と配線との接続技術として注目されている。
【００１２】
また、特許文献２に記載されている技術に、導電性粒子を含む絶縁性樹脂を適用した場合には、裏面電極型太陽電池セルと配線シートとを封止材中に封止するための加熱の際に絶縁性樹脂を溶融させることによって、特許文献２に記載の効果を維持したまま、電極と配線との電気的な接続および裏面電極型太陽電池セルと配線シートとの機械的な接続をより確実に行なうことが可能となる。
【００１３】
この場合にも、特許文献２に記載されているように、裏面電極型太陽電池セルが配線シートに対して位置決めされた後に固定テープによって仮止めし、その状態で封止材によって封止されることが好ましい。しかしながら、この場合には、固定テープが太陽電池モジュールの受光面から見えてしまうことがあり、デザイン性を損ねるといった問題がある。また裏面電極型太陽電池セルを配線シートに位置合わせした場合でも、固定テープによって仮止めする際に裏面電極型太陽電池セルおよび／または配線シートに触れてしまうことで位置合わせがずれることがある。そのため、固定テープの代わりに透明樹脂または紫外線硬化型樹脂など流動性の樹脂を塗布して硬化することによって裏面電極型太陽電池セルと配線シートを固定する方法がより好ましい方法であると考えられる。
【００１４】
以上の検討結果から、以下の工程（１）〜（５）をこの順序で行なうことによって作製された太陽電池モジュールが好ましい態様の太陽電池モジュールであると考えられる。なお、以下の工程（３）を工程（２）よりも前に行ってもよい。
（１）太陽電池セルの電極および／または配線シートの配線に導電性粒子を含む絶縁性樹脂を設置する工程。
（２）太陽電池セルの電極が配線シートの配線の所定の位置に対向するように太陽電池セルと配線シートとの位置合わせを行なう工程。
（３）流動性の透明樹脂または紫外線硬化型樹脂などの固定樹脂を太陽電池セルと配線シートとの間に滴下する等の方法により、これらの樹脂を太陽電池セルの電極および配線シートの配線にそれぞれ直接触れないようにして配置する工程。
（４）固定樹脂を硬化して太陽電池セルと配線シートとを仮止めする工程。
（５）封止材によって太陽電池セルと配線シートとを封止するとともに、太陽電池セルと配線シートとの間に設置された導電性粒子を含む絶縁性樹脂を加熱して導電性粒子が溶融して凝集した後に冷却されて固化してなる導電性物質が電極と配線の間に凝集して電気的接続を得るとともに溶融した絶縁性樹脂が太陽電池セルの電極間の基板と配線シートの配線間の絶縁性基材の間に押し出された後に硬化することで太陽電池セルと配線シートとを機械的に接続する工程。
【００１５】
しかしながら、上記の工程（３）において配置された固定樹脂が流動して、固定樹脂が工程（１）で配置された導電性粒子を含む絶縁性樹脂と接触した場合には、導電性粒子を含む絶縁性樹脂も未硬化のために固定樹脂と混ざってしまう。そのため、絶縁性樹脂中の導電性粒子が固定樹脂を介して太陽電池セルの電極間および／または配線シートの配線間に流出して電極間および／または配線間を短絡してしまうという問題があった。また、この場合には、太陽電池セルと配線シートとの機械的な接続の安定性も損なわれる。
【００１６】
上記の事情に鑑みて、本発明の目的は、太陽電池セルと配線シートとの機械的な接続の安定性を向上することができるとともに、太陽電池セルの電極と配線シートの配線との電気的な接続の安定性を向上することができる配線シート付き太陽電池セル、太陽電池モジュール、配線シート付き太陽電池セルの製造方法および太陽電池モジュールの製造方法を提供することにある。
【課題を解決するための手段】
【００１７】
本発明は、絶縁性基材と絶縁性基材の少なくとも一方の表面に設けられた配線とを含む配線シートと、基板と基板の少なくとも一方の表面上に設けられた電極とを有する太陽電池セルと、配線シートの配線と太陽電池セルの電極との間に設置された導電性物質と、配線シートと太陽電池セルとを機械的に接続する固定樹脂と、を含み、配線は配線シート上に設置される太陽電池セルの周縁部に対向する配線シートの領域の少なくとも一部と、太陽電池セルと対向しない配線シートの領域の少なくとも一部とに跨って形成された窪みを有し、固定樹脂は、太陽電池セルの周縁部に接するように窪みに設けられている配線シート付き太陽電池セルである。
【００１８】
ここで、本発明の配線シートにおいて、窪みは、絶縁性基材の表面が露出している領域であって、配線に囲まれている領域であることが好ましい。
【００２０】
ここで、本発明の配線シート付き太陽電池セルにおいて、固定樹脂は、紫外線の照射および加熱の少なくとも一方の処理によって硬化する絶縁性樹脂であることが好ましい。
【００２１】
また、本発明は、上記の配線シート付き太陽電池セルを含む太陽電池モジュールである。
【００２２】
また、本発明は、基板と基板の少なくとも一方の表面上に設けられた電極とを含む太陽電池セルと、絶縁性基材と絶縁性基材の少なくとも一方の表面に設けられた配線とを含む配線シートと、配線シートの配線と太陽電池セルの電極との間に設置された導電性物質と、配線シートと太陽電池セルとを機械的に接続する固定樹脂と、を含み、電極と太陽電池セルの周縁部との間の少なくとも一部の領域に樹脂流動阻止部が設けられ、樹脂流動阻止部は、周縁部の所定の箇所を囲うように連続して形成されており、固定樹脂は、太陽電池セルの所定の箇所を含み、樹脂流動阻止部よりも外側に位置するように配線シート上に設けられている配線シート付き太陽電池セルである。
【００２３】
ここで、本発明の配線シート付き太陽電池セルにおいて、樹脂流動阻止部は電極と同一の材質から形成されていることが好ましい。
【００２５】
ここで、本発明の配線シート付き太陽電池セルにおいて、固定樹脂は、紫外線の照射および加熱の少なくとも一方の処理によって硬化する絶縁性樹脂であることが好ましい。
【００２６】
また、本発明は、上記の配線シート付き太陽電池セルを用いて作製された太陽電池モジュールである。
【００２７】
また、本発明は、基板と基板の少なくとも一方の表面上に設けられた電極とを有する太陽電池セルと、絶縁性基材と絶縁性基材の少なくとも一方の表面に設けられた配線とを有し、配線には窪みが形成されている配線シートと、配線シートの配線と太陽電池セルの電極との間に設置された導電性物質と、配線シートと太陽電池セルとを機械的に接続する固定樹脂と、を含む配線シート付き太陽電池セルを製造するための方法であって、太陽電池セルの電極と配線シートの配線との間に導電性粒子を含む樹脂を設置する工程と、太陽電池セルの電極が配線シートの配線と対向するように太陽電池セルと配線シートとの位置合わせをする工程と、太陽電池セルの周縁部の少なくとも一部の領域と配線シートの窪みとの間に、導電性粒子を含む樹脂とは間隔を空けて固定樹脂を設置する工程と、固定樹脂を硬化する工程と、導電性粒子を含む樹脂を硬化する工程と、を含む配線シート付き太陽電池セルの製造方法である。また、本発明は、基板と基板の少なくとも一方の表面上に設けられた電極とを有し、電極と基板の周縁部との間の少なくとも一部の領域に、周縁部の所定の箇所を囲うように樹脂流動阻止部が連続して形成されている太陽電池セルと、絶縁性基材と絶縁性基材の少なくとも一方の表面に設けられた配線とを有する配線シートと、配線シートの配線と太陽電池セルの電極との間に設置された導電性物質と、配線シートと太陽電池セルとを機械的に接続する固定樹脂と、を含む配線シート付き太陽電池セルを製造するための方法であって、太陽電池セルの電極と配線シートの配線との間に導電性粒子を含む樹脂を設置する工程と、太陽電池セルの電極が配線シートの配線と対向するように太陽電池セルと配線シートとの位置合わせをする工程と、太陽電池セルの所定の箇所を含み、樹脂流動阻止部の外側の領域に位置するように、導電性粒子を含む樹脂とは間隔を空けて固定樹脂を設置する工程と、固定樹脂を硬化する工程と、導電性粒子を含む樹脂を硬化する工程と、を含む、配線シート付き太陽電池セルの製造方法である。
【００２８】
ここで、本発明の配線シート付き太陽電池セルの製造方法においては、導電性粒子を含む樹脂を硬化する工程においては、導電性粒子が溶融して凝集した後に固化することによって形成された導電性物質によって電極と配線とが電気的に接続されることが好ましい。
【００２９】
また、本発明の配線シート付き太陽電池セルの製造方法において、固定樹脂を硬化する工程は、紫外線の照射および加熱の少なくとも一方の処理によって固定樹脂を硬化する工程を含むことが好ましい。
【００３０】
さらに、本発明は、基板と基板の少なくとも一方の表面上に設けられた電極とを有する太陽電池セルと、絶縁性基材と絶縁性基材の少なくとも一方の表面に設けられた配線とを有し、配線には窪みが形成されている配線シートと、配線シートの配線と太陽電池セルの電極との間に設置された導電性物質と、配線シートと太陽電池セルとを機械的に接続するための固定樹脂と、を含む配線シート付き太陽電池セルを封止材によって封止した太陽電池モジュールを製造するための方法であって、太陽電池セルの電極と配線シートの配線との間に導電性粒子を含む樹脂を設置する工程と、太陽電池セルの電極が配線シートの配線と対向するように太陽電池セルと配線シートとの位置合わせをする工程と、太陽電池セルの周縁部の少なくとも一部の領域と配線シートの窪みとの間に、導電性粒子を含む樹脂とは間隔を空けて固定樹脂を設置する工程と、固定樹脂を硬化する工程と、固定樹脂を硬化する工程で配線シートに仮固定された太陽電池セルを封止材によって封止する工程と、を含み、封止材によって封止する工程は導電性粒子を含む樹脂を硬化する工程を含む太陽電池モジュールの製造方法である。また、本発明は、基板と基板の少なくとも一方の表面上に設けられた電極とを有し、電極と基板の周縁部との間の少なくとも一部の領域に、周縁部の所定の箇所を囲うように樹脂流動阻止部が連続して形成されている太陽電池セルと、絶縁性基材と絶縁性基材の少なくとも一方の表面に設けられた配線とを有する配線シートと、配線シートの配線と太陽電池セルの電極との間に設置された導電性物質と、配線シートと太陽電池セルとを機械的に接続するための固定樹脂と、を含む配線シート付き太陽電池セルを封止材によって封止した太陽電池モジュールを製造するための方法であって、太陽電池セルの電極と配線シートの配線との間に導電性粒子を含む樹脂を設置する工程と、太陽電池セルの電極が配線シートの配線と対向するように太陽電池セルと配線シートとの位置合わせをする工程と、太陽電池セルの所定の箇所を含み、樹脂流動阻止部の外側の領域に位置するように、導電性粒子を含む樹脂とは間隔を空けて前記固定樹脂を設置する工程と、固定樹脂を硬化する工程と、固定樹脂を硬化する工程で配線シートに仮固定された太陽電池セルを封止材によって封止する工程とを含み、封止材によって封止する工程は、導電性粒子を含む樹脂を硬化する工程を含む、太陽電池モジュールの製造方法である。
【発明の効果】
【００３１】
本発明によれば、太陽電池セルと配線シートとの機械的な接続の安定性を向上することができるとともに、太陽電池セルの電極と配線シートの配線との電気的な接続の安定性を向上することができる配線シート付き太陽電池セル、太陽電池モジュール、配線シート付き太陽電池セルの製造方法および太陽電池モジュールの製造方法を提供することができる。
【図面の簡単な説明】
【００３２】
【図１】（ａ）〜（ｅ）は、実施の形態１の太陽電池モジュールの製造方法を図解する模式的な断面図である。
【図２】（ａ）〜（ｇ）は、本実施の形態で用いられる裏面電極型太陽電池セルの製造方法の一例について図解する模式的な断面図である。
【図３】本実施の形態で用いられる配線シートの配線設置側の表面の模式的な拡大平面図である。
【図４】（ａ）〜（ｄ）は、本実施の形態で用いられる配線シートの製造方法の一例について図解する模式的な断面図である。
【図５】実施の形態１における固定樹脂の設置箇所の一例を図解する模式的な拡大平面図である。
【図６】（ａ）〜（ｅ）は、実施の形態２の太陽電池モジュールの製造方法を図解する模式的な断面図である。
【図７】本実施の形態で用いられる裏面電極型太陽電池セルの裏面の模式的な拡大平面図である。
【図８】実施の形態２における固定樹脂の設置箇所の一例を図解する模式的な拡大平面図である。
【発明を実施するための形態】
【００３３】
以下、本発明の実施の形態について説明する。なお、本発明の図面において、同一の参照符号は、同一部分または相当部分を表わすものとする。また、後述する各工程の間にはその他の工程が含まれていてもよいことは言うまでもない。
【００３４】
（実施の形態１）
＜導電性粒子を含む樹脂を設置する工程＞
図１（ａ）〜（ｅ）に、実施の形態１の太陽電池モジュールの製造方法を図解する模式的な断面図を示す。まず、図１（ａ）に示すように、裏面電極型太陽電池セル８と、配線シート１０とを用意し、裏面電極型太陽電池セル８の少なくとも一方の表面である基板１の裏面に設けられたｎ型用電極６およびｐ型用電極７にそれぞれ導電性粒子２１を含む絶縁性樹脂２０を設置する。なお、本実施の形態においては、太陽電池セルとして裏面電極型太陽電池セルを用いる場合について説明するが、裏面電極型太陽電池セルに限定されない。
【００３５】
導電性粒子２１を含む絶縁性樹脂２０の設置方法としては、たとえば、スクリーン印刷、ディスペンサ塗布またはインクジェット塗布などの方法を挙げることができる。
【００３６】
絶縁性樹脂２０としては、たとえば従来から公知のエポキシ樹脂などの熱硬化性および／または光硬化性の樹脂を用いることができる。絶縁性樹脂２０にはたとえば従来から公知の硬化剤などの添加剤が含まれていてもよい。
【００３７】
導電性粒子２１としては、たとえば、錫およびビスマスの少なくとも一方を含む半田粒子などを用いることができる。
【００３８】
そして、裏面電極型太陽電池セル８のｎ型用電極６およびｐ型用電極７をそれぞれ配線シート１０の絶縁性基材１１上に設けられたｎ型用配線１２およびｐ型用配線１３に対向させるとともに、裏面電極型太陽電池セル８の周縁部３１を配線シート１０の接続用配線１４に設けられた窪み３２に対向させる。
【００３９】
窪み３２は、接続用配線１４から絶縁性基材１１の表面が露出した領域であって、接続用配線１４に囲まれている領域である。
【００４０】
＜裏面電極型太陽電池セル＞
裏面電極型太陽電池セル８は、たとえば以下のようにして製造することができる。以下、図２（ａ）〜（ｇ）の模式的断面図を参照して、本実施の形態で用いられる裏面電極型太陽電池セル８の製造方法の一例について説明する。
【００４１】
まず、図２（ａ）に示すように、たとえばインゴットからスライスすることなどによって、基板１の表面にスライスダメージ１ａが形成された基板１を用意する。基板１としては、たとえば、ｎ型またはｐ型のいずれかの導電型を有する多結晶シリコンまたは単結晶シリコンなどからなるシリコン基板を用いることができる。
【００４２】
次に、図２（ｂ）に示すように、基板１の表面のスライスダメージ１ａを除去する。ここで、スライスダメージ１ａの除去は、たとえば基板１が上記のシリコン基板からなる場合には、上記のスライス後のシリコン基板の表面をフッ化水素水溶液と硝酸との混酸または水酸化ナトリウムなどのアルカリ水溶液などでエッチングすることなどによって行なうことができる。
【００４３】
スライスダメージ１ａの除去後の基板１の大きさおよび形状も特に限定されないが、基板１の厚さをたとえば５０μｍ以上４００μｍ以下とすることができ、特に１６０μｍ程度とすることが好ましい。
【００４４】
次に、図２（ｃ）に示すように、基板１の裏面に、ｎ型不純物拡散領域２およびｐ型不純物拡散領域３をそれぞれ形成する。ｎ型不純物拡散領域２は、たとえば、ｎ型不純物を含むガスを用いた気相拡散などの方法により形成することができ、ｐ型不純物拡散領域３は、たとえば、ｐ型不純物を含むガスを用いた気相拡散などの方法により形成することができる。
【００４５】
ｎ型不純物拡散領域２およびｐ型不純物拡散領域３はそれぞれ図２の紙面の表面側および／または裏面側に伸びる帯状に形成されており、ｎ型不純物拡散領域２とｐ型不純物拡散領域３とは基板１の裏面において交互に所定の間隔をあけて配置されている。
【００４６】
ｎ型不純物拡散領域２はｎ型不純物を含み、ｎ型の導電型を示す領域であれば特に限定されない。なお、ｎ型不純物としては、たとえばリンなどのｎ型不純物を用いることができる。
【００４７】
ｐ型不純物拡散領域３はｐ型不純物を含み、ｐ型の導電型を示す領域であれば特に限定されない。なお、ｐ型不純物としては、たとえばボロンまたはアルミニウムなどのｐ型不純物を用いることができる。
【００４８】
ｎ型不純物を含むガスとしては、たとえばＰＯＣｌ3のようなリンなどのｎ型不純物を含むガスを用いることができ、ｐ型不純物を含むガスとしては、たとえばＢＢｒ3のようなボロンなどのｐ型不純物を含むガスを用いることができる。
【００４９】
次に、図２（ｄ）に示すように、基板１の裏面にパッシベーション膜４を形成する。ここで、パッシベーション膜４は、たとえば、熱酸化法またはプラズマＣＶＤ（Chemical Vapor Deposition）法などの方法により形成することができる。
【００５０】
パッシベーション膜４としては、たとえば、酸化シリコン膜、窒化シリコン膜、または酸化シリコン膜と窒化シリコン膜との積層体などを用いることができるが、これらに限定されるものではない。
【００５１】
パッシベーション膜４の厚みは、たとえば０．０５μｍ以上１μｍ以下とすることができ、特に０．２μｍ程度とすることが好ましい。
【００５２】
次に、図２（ｅ）に示すように、基板１の受光面の全面にテクスチャ構造などの凹凸構造を形成した後に、その凹凸構造上に反射防止膜５を形成する。
【００５３】
テクスチャ構造は、たとえば、基板１の受光面をエッチングすることにより形成することができる。たとえば、基板１がシリコン基板である場合には、たとえば水酸化ナトリウムまたは水酸化カリウムなどのアルカリ水溶液にイソプロピルアルコールを添加した液をたとえば７０℃以上８０℃以下に加熱したエッチング液を用いて基板１の受光面をエッチングすることによって形成することができる。
【００５４】
反射防止膜５は、たとえばプラズマＣＶＤ法などにより形成することができる。なお、反射防止膜５としては、たとえば、窒化シリコン膜などを用いることができるが、これに限定されるものではない。
【００５５】
次に、図２（ｆ）に示すように、基板１の裏面のパッシベーション膜４の一部を除去することによってコンタクトホール４ａおよびコンタクトホール４ｂを形成する。ここで、コンタクトホール４ａは、ｎ型不純物拡散領域２の表面の少なくとも一部を露出させるようにして形成され、コンタクトホール４ｂは、ｐ型不純物拡散領域３の表面の少なくとも一部を露出させるようにして形成される。
【００５６】
なお、コンタクトホール４ａおよびコンタクトホール４ｂはそれぞれ、たとえば、フォトリソグラフィ技術を用いてコンタクトホール４ａおよびコンタクトホール４ｂの形成箇所に対応する部分に開口を有するレジストパターンをパッシベーション膜４上に形成した後にレジストパターンの開口からパッシベーション膜４をエッチングなどにより除去する方法、またはコンタクトホール４ａおよびコンタクトホール４ｂの形成箇所に対応するパッシベーション膜４の部分にエッチングペーストを塗布した後に加熱することによってパッシベーション膜４をエッチングして除去する方法などにより形成することができる。
【００５７】
次に、図２（ｇ）に示すように、コンタクトホール４ａを通してｎ型不純物拡散領域２に接するｎ型用電極６と、コンタクトホール４ｂを通してｐ型不純物拡散領域３に接するｐ型用電極７と、を形成することによって、裏面電極型太陽電池セル８を作製する。
【００５８】
ｎ型用電極６およびｐ型用電極７としては、たとえば、銀などの金属からなる電極を用いることができる。ｎ型用電極６およびｐ型用電極７はそれぞれ図２の紙面の表面側および／または裏面側に伸びる帯状に形成されており、ｎ型用電極６およびｐ型用電極７はそれぞれパッシベーション膜４に設けられた開口部を通して、基板１の裏面のｎ型不純物拡散領域２およびｐ型不純物拡散領域３に沿って、ｎ型不純物拡散領域２およびｐ型不純物拡散領域３にそれぞれ接するように形成されている。
【００５９】
＜配線シート＞
図３に、本実施の形態で用いられる配線シート１０の配線設置側の表面の模式的な拡大平面図を示す。配線シート１０の絶縁性基板１１の表面上において、ｎ型用配線１２およびｐ型用配線１３はそれぞれ帯状に所定の間隔を空けて交互に形成されている。配線シート１０の絶縁性基材１１の表面上には接続用配線１４が形成されており、接続用配線１４によってｎ型用配線１２とｐ型用配線１３とが電気的に接続されている。
【００６０】
接続用配線１４の両端には、接続用配線１４から絶縁性基材１１の表面が露出した領域である窪み３２が形成されている。
【００６１】
以上の構成を有する配線シート１０においては、ｎ型用配線１２およびｐ型用配線１３のそれぞれの長手方向において隣り合っているｎ型用配線１２とｐ型用配線１３とは接続用配線１４によって電気的に接続されている。そのため、配線シート１０上で上記の長手方向において隣り合って設置されている裏面電極型太陽電池セル８同士は互いに電気的に接続される。
【００６２】
配線シート１０は、たとえば以下のようにして製造することができる。以下、図４（ａ）〜図４（ｄ）の模式的断面図を参照して、本実施の形態で用いられる配線シート１０の製造方法の一例について説明する。
【００６３】
まず、図４（ａ）に示すように、絶縁性基材１１の表面上に導電性部材からなる導電層４１を形成する。絶縁性基材１１としては、たとえば、ポリエステル、ポリエチレンナフタレートまたはポリイミドなどの樹脂からなる基板を用いることができるが、これに限定されるものではない。
【００６４】
絶縁性基材１１の厚みは、たとえば１０μｍ以上２００μｍ以下とすることができ、特に２５μｍ程度とすることが好ましい。
【００６５】
導電層４１としては、たとえば、銅などの金属からなる層を用いることができるが、これに限定されるものではない。
【００６６】
次に、図４（ｂ）に示すように、絶縁性基材１１の表面の導電層４１上にレジストパターン４２を形成する。ここで、レジストパターン４２は、ｎ型用配線１２、ｐ型用配線１３および接続用配線１４の形成箇所以外の箇所に開口を有する形状に形成する。レジストパターン４２を構成するレジストとしてはたとえば従来から公知のものを用いることができ、スクリーン印刷、ディスペンサ塗布またはインクジェット塗布などの方法によって塗布される。なお、窪み３２の形成箇所に相当する箇所には、レジストの開口が設置されることは言うまでもない。
【００６７】
次に、図４（ｃ）に示すように、レジストパターン４２から露出している箇所の導電層４１を矢印４３の方向に除去することによって導電層４１のパターンニングを行ない、導電層４１の残部からｎ型用配線１２、ｐ型用配線１３および接続用配線１４を形成し、接続用配線１４の一部を構成する導電層４１が除去された部分が窪み３２とされる。
【００６８】
導電層４１の除去は、たとえば、酸やアルカリの溶液を用いたウエットエッチングなどによって行なうことができる。
【００６９】
次に、図４（ｄ）に示すように、ｎ型用配線１２、ｐ型用配線１３および接続用配線１４の表面からレジストパターン４２をすべて除去することによって、配線シート１０が作製される。
【００７０】
＜太陽電池セルと配線シートとの位置合わせをする工程＞
次に、図１（ｂ）に示すように、裏面電極型太陽電池セル８のｎ型用電極６およびｐ型用電極７がそれぞれ配線シート１０の絶縁性基材１１上に設けられたｎ型用配線１２およびｐ型用配線１３と導電性粒子２１を含む絶縁性樹脂２０を介して対向するように、裏面電極型太陽電池セル８と配線シート１０との位置合わせを行なう。
【００７１】
この段階では絶縁性樹脂２０は未硬化であるため、絶縁性樹脂２０の流動によって、配線シート１０の配線（ｎ型用配線１２およびｐ型用配線１３）に対する裏面電極型太陽電池セル８の電極（ｎ型用電極６およびｐ型用電極７）の相対的な位置をより微細に合わせることが可能となる。また、このとき、裏面電極型太陽電池セル８の周縁部３１に対向する位置に配線シート１０の窪み３２が位置するように、裏面電極型太陽電池セル８と配線シート１０との位置合わせが行なわれる。
【００７２】
＜固定樹脂を設置する工程＞
次に、図１（ｃ）に示すように、裏面電極型太陽電池セル８の周縁部３１の少なくとも一部の領域に接するように、配線シート１０の窪み３２に未硬化の固定樹脂２２ａを設置する。固定樹脂２２ａは、図５の模式的拡大平面図に示すように、裏面電極型太陽電池セル８の周縁部３１の一部と配線シート１０の窪み３２とに跨るようにして設置することができる。なお、図５のＩｃ−Ｉｃに沿った断面が図１（ｃ）に示される断面に相当する。
【００７３】
ここで、導電性粒子２１を含む絶縁性樹脂２０は裏面電極型太陽電池セル８の周縁部３１よりも内側の領域に設置されており、導電性粒子２１を含む絶縁性樹脂２０と固定樹脂２２ａとは互いに離れて位置していることが好ましい。したがって、配線シート１０の窪み３２は、上記の裏面電極型太陽電池セル８と配線シート１０との位置合わせによって裏面電極型太陽電池セル８に設置された導電性粒子２１を含む絶縁性樹脂２０と対向しない配線シート１０の領域に設けられることが好ましい。
【００７４】
上記のようにして未硬化の固定樹脂２２ａを設置することによって、配線シート１０の窪み３２を構成する接続用配線１４の段差により固定樹脂２２ａが裏面電極型太陽電池セル８の内側の領域に流入しにくくなる。そのため、裏面電極型太陽電池セル８の内側の領域に設置された導電性粒子２１を含む未硬化の絶縁性樹脂２０は、配線シート１０の窪み３２に設置された未硬化の固定樹脂２２ａと接触せず、絶縁性樹脂２０と固定樹脂２２ａとの混ざり合いを抑制することができる。
【００７５】
なお、固定樹脂２２ａとしては、たとえば従来から公知のエポキシ樹脂などの熱硬化性および／または光硬化性の樹脂を用いることができる。固定樹脂２２ａにはたとえば従来から公知の硬化剤などの添加剤が含まれていてもよい。
【００７６】
固定樹脂２２ａを設置する工程は、裏面電極型太陽電池セル８と配線シート１０との位置合わせをする工程の前であってもよい。この場合には、裏面電極型太陽電池セル８の電極の設置側の面の周縁部の少なくとも一部および配線シート１０の配線の設置側に設けられた窪み３２の少なくとも一方に未硬化の固定樹脂２２ａを設置し、裏面電極型太陽電池セル８と配線シート１０との位置合わせをする工程において、たとえば図５に示すように、裏面電極型太陽電池セル８の周縁部３１の少なくとも一部と配線シート１０の窪み３２とに跨るようにすればよい。
【００７７】
＜固定樹脂を硬化する工程＞
次に、図１（ｄ）に示すように、裏面電極型太陽電池セル８の周縁部３１の少なくとも一部の領域に接するように配線シート１０の窪み３２に設置された未硬化の固定樹脂２２ａを硬化する工程が行なわれる。これにより、未硬化の固定樹脂２２ａが硬化することによって固定樹脂２２となり、硬化後の固定樹脂２２によって、裏面電極型太陽電池セル８が配線シート１０に仮固定される。
【００７８】
ここで、固定樹脂２２ａは、たとえば、紫外線の照射および加熱の少なくとも一方の処理をされることによって硬化して固定樹脂２２となる。
【００７９】
＜封止材によって封止する工程＞
次に、図１（ｅ）に示すように、上記のように固定樹脂２２によって配線シート１０に仮固定された裏面電極型太陽電池セル８を表面保護材１７と裏面保護材１９との間の封止材１８によって封止する工程が行なわれる。この封止材１８によって封止する工程は、導電性粒子２１を含む未硬化の絶縁性樹脂２０を硬化する工程も含んでいる。
【００８０】
封止材によって封止する工程は、たとえば、固定樹脂２２によって裏面電極型太陽電池セル８が仮固定された配線シート１０をエチレンビニルアセテートなどの封止材１８を備えたガラスなどの表面保護材１７と、エチレンビニルアセテートなどの封止材１８を備えたポリエステルフィルムなどの裏面保護材１９との間に挟み込み、表面保護材１７と裏面保護材１９との間を加圧しながら加熱することにより行なうことができる。
【００８１】
導電性粒子２１は、上記の加圧および加熱によって、裏面電極型太陽電池セル８の電極と配線シート１０の配線との間で溶融して凝集した後に冷却されて固化することによって導電性物質２１ａとなる。この導電性物質２１ａにより、裏面電極型太陽電池セル８の電極（ｎ型用電極６およびｐ型用電極７）と配線シート１０の配線（ｎ型用配線１２およびｐ型用配線１３）との電気的接続を得ることができる。
【００８２】
また、この溶融後の導電性粒子２１の凝集によって絶縁性樹脂２０が導電性粒子２１の外側に押し出され、裏面電極型太陽電池セル８の電極間と配線シート１０の配線間との間の領域に広がった後に硬化する。このとき、広がった絶縁性樹脂２０が固定樹脂２２と接触したとしても絶縁性樹脂同士であるため問題がない。
【００８３】
以上により、裏面電極型太陽電池セル８のｎ型用電極６およびｐ型用電極７がそれぞれ配線シート１０のｎ型用配線１２およびｐ型用配線１３と導電性物質２１ａによって電気的に接続され、裏面電極型太陽電池セル８の電極間の領域と配線シート１０の配線間の領域とが硬化した絶縁性樹脂２０によって機械的に接続された構成を有する配線シート付き太陽電池セルが得られる。また、その配線シート付き太陽電池セルが表面保護材１７と裏面保護材１９との間の封止材１８によって封止された太陽電池モジュールが得られる。
【００８４】
以上の構成を有する配線シート付き太陽電池セルおよび太陽電池モジュールは、配線シート１０の窪み３２に未硬化の固定樹脂２２ａを設置し、固定樹脂２２ａが裏面電極型太陽電池セル８の内側の領域に回り込まないようにした状態で、固定樹脂２２ａを硬化して固定樹脂２２としている。そのため、未硬化の固定樹脂２２ａが、裏面電極型太陽電池セル８の内側の領域に設置された導電性粒子２１を含む絶縁性樹脂２０と混ざり合うのを抑制することができる。これにより、溶融した導電性粒子２１を裏面電極型太陽電池セル８の電極と配線シート１０の配線との間により確実に凝集することができるため、硬化した絶縁性樹脂２０により裏面電極型太陽電池セル８と配線シート１０との機械的な接続の安定性を向上させることができるとともに、導電性粒子２１が溶融して凝集した後に冷却されて固化することによって形成された導電性物質２１ａによって裏面電極型太陽電池セル８の電極と配線シート１０の配線との電気的な接続の安定性を向上させることができる。
【００８５】
なお、上記においては、裏面電極型太陽電池セル８の電極（ｎ型用電極６、ｐ型用電極７）に導電性粒子２１を含む絶縁性樹脂２０を設置する場合について説明したが、配線シート１０の配線（ｎ型用配線１２、ｐ型用配線１３）に導電性粒子２１を含む絶縁性樹脂２０を設置してもよく、裏面電極型太陽電池セル８の電極および配線シート１０の配線のそれぞれに導電性粒子２１を含む絶縁性樹脂２０を設置してもよい。
【００８６】
上記においては、封止材１８によって封止する工程において、導電性粒子２１を含む絶縁性樹脂２０の硬化工程を行なったが、封止材１８によって封止する工程の前に導電性粒子２１を含む絶縁性樹脂２０の硬化工程を行なって上記構成を有する配線シート付き太陽電池セルを作製した後に、配線シート付き太陽電池セルを封止材１８によって封止して太陽電池モジュールを作製してもよい。ただし、太陽電池モジュールの製造効率を向上させる観点からは、封止材１８によって封止する工程において、導電性粒子２１を含む絶縁性樹脂２０の硬化工程を行なうことが好ましい。
【００８７】
上記においては、導電層４１を除去することによって窪み３２を形成したが、窪み３２の形成方法は特に限定されない。ただし、上述のように、導電層４１を除去することによって、ｎ型用配線１２、ｐ型用配線１３および接続用配線１４とともに窪み３２を形成することが追加の工程が不要になる観点から好ましい。導電層４１の除去以外の窪み３２の形成方法としては、たとえば、絶縁性基材１１の厚さを薄くする方法、絶縁性基材１１を変形する方法、またはこれらの方法を組み合わせた方法などが挙げられる。
【００８８】
窪み３２の形状および大きさは特に限定されず、窪み３２においては絶縁性基材１１の表面が必ずしも露出している必要はない。ただし、接続用配線１４の厚さによって窪み３２の段差を大きくして、固定樹脂２２ａの裏面電極型太陽電池セル８の内側の領域への流入を効果的に抑止するためには、窪み３２は絶縁性基材１１の表面の少なくとも一部が露出している領域であることが好ましい。
【００８９】
窪み３２は、裏面電極型太陽電池セル８の周縁部３１に対向する領域から裏面電極型太陽電池セル８の内側に対向する領域に入り込むように伸長する形状とされることが好ましい。この場合には、裏面電極型太陽電池セル８の裏面と窪み３２との間に固定樹脂２２ａが入り込むように設置することができるため、裏面電極型太陽電池セル８と配線シート１０との機械的な接続の安定性をさらに向上させることができる。この場合に、窪み３２の領域が、裏面電極型太陽電池セル８の電極の形成領域と対向しない位置に形成されることがより好ましく、配線シート１０の絶縁性基材１１が２００μｍ以下の厚さを有する樹脂から形成される場合には裏面電極型太陽電池セル８の電極と配線シート１０の窪み３２とが１ｍｍ以上離れる形状に形成されることがさらに好ましい。このように、裏面電極型太陽電池セル８の電極と配線シート１０の窪み３２とを適切な距離だけ離れて位置させることによって、窪み３２の周囲の接続用配線１４を裏面電極型太陽電池セル８の裏面の電極が形成されていない領域に当接させることで窪み３２と電極との間の空間を遮ることができるため、固定樹脂２２ａが絶縁性樹脂２０と混ざり合うのをより確実に抑止することができる。
【００９０】
また、本発明における裏面電極型太陽電池セルの概念には、上述した基板の一方の表面側（裏面側）のみにｎ型用電極およびｐ型用電極の双方が形成された構成のものだけでなく、ＭＷＴ（Metal  Wrap  Through）セル（基板に設けられた貫通孔に電極の一部を配置した構成の太陽電池セル）などのいわゆるバックコンタクト型太陽電池セル（太陽電池セルの受光面側と反対側の裏面側から電流を取り出す構造の太陽電池セル）のすべてが含まれる。
【００９１】
また、本発明における配線シート付き太陽電池セルの概念には、複数の裏面電極型太陽電池セルが配線シート上に設置されている構成のみならず、１つの裏面電極型太陽電池セルが配線シート上に設置されている構成も含まれる。
【００９２】
（実施の形態２）
＜導電性粒子を含む樹脂を設置する工程＞
図６（ａ）〜（ｅ）に、実施の形態２の太陽電池モジュールの製造方法を図解する模式的な断面図を示す。本実施の形態においては、基板１の電極形成側の表面に樹脂流動阻止部の一例として突起部３３を備えた裏面電極型太陽電池セル８を用いている点に特徴がある。
【００９３】
まず、図６（ａ）に示すように、裏面電極型太陽電池セル８と、配線シート１０とを用意し、裏面電極型太陽電池セル８の少なくとも一方の表面である基板１の裏面に設けられたｎ型用電極６およびｐ型用電極７にそれぞれ導電性粒子２１を含む絶縁性樹脂２０を設置する。なお、突起部３３には導電性粒子２１を含む絶縁性樹脂２０を設置しない。
【００９４】
図７に、実施の形態２で用いられる裏面電極型太陽電池セル８の裏面の模式的な平面図を示す。図７に示すように、突起部３３は、裏面電極型太陽電池セル８の裏面の電極（ｎ型用電極６、ｐ型用電極７）の形成領域と周縁部３１との間の領域に設けられている。なお、本実施の形態においては、裏面電極型太陽電池セル８の裏面の電極の形成領域と周縁部３１との間の領域の一部に突起部３３を設けた裏面電極型太陽電池セル８を用いる場合について説明するが、突起部３３は、裏面電極型太陽電池セル８の裏面の電極の形成領域と周縁部３１との間の領域の少なくとも一部に設けられていればよい。また、突起部３３は裏面電極型太陽電池セル８の裏面から外側に突出している。
【００９５】
突起部３３の材質は特に限定されないが、突起部３３は裏面電極型太陽電池セル８の電極と同一の材質から形成されていることが好ましい。この場合には、裏面電極型太陽電池セル８の裏面の電極と突起部３３とを同時に形成することができるため、裏面電極型太陽電池セル８の製造効率を向上させることができる。なお、突起部３３を有する裏面電極型太陽電池セル８は、突起部３３を形成すること以外は実施の形態１で説明した方法と同様の方法で形成することができる。
【００９６】
突起部３３が裏面電極型太陽電池セル８の電極と同一の材質から形成されている場合には、突起部３３と電極（ｎ型用電極６およびｐ型用電極７）とは互いに離れた位置に形成されることが好ましい。この場合には、裏面電極型太陽電池セル８の電極と配線シート１０の配線との間に設置された導電性粒子２１を含む絶縁性樹脂２０が突起部３３を超えて裏面電極型太陽電池セル８の周縁部３１側に流出するのを抑制することができる。
【００９７】
樹脂流動阻止部としては、突起部３３の代わりに、撥液性のコーティングを裏面電極型太陽電池セル８の裏面に設けてもよい。この場合には、導電性粒子２１を含む未硬化の絶縁性樹脂２０と、未硬化の固定樹脂２２ａと、が撥液性のコーティングによってともに弾かれることによって、裏面電極型太陽電池セル８の裏面にこれらの樹脂が流入できない箇所を形成することができる。そのため、この場合にも、導電性粒子２１を含む絶縁性樹脂２０と固定樹脂２２ａとが混ざり合うのをより確実に防止することができる。なお、撥液性のコーティングとしては、未硬化の絶縁性樹脂２０と、未硬化の固定樹脂２２ａとを弾くことができるものであれば特に限定なく用いることができる。
【００９８】
また、樹脂流動阻止部としては、突起部３３を設けるとともに、裏面電極型太陽電池セル８の裏面の突起部３３と電極との間の領域に撥液性のコーティングを設けてもよい。この場合には、突起部３３によって固定樹脂２２ａの裏面電極型太陽電池セル８の内側への流入を抑制することができるとともに、撥液性のコーティングによって導電性粒子２１を含む絶縁性樹脂２０の裏面電極型太陽電池セル８の周縁部３１側への流出を抑制することができる。そのため、この場合にはこれらの効果の相乗効果によって、導電性粒子２１を含む絶縁性樹脂２０と固定樹脂２２ａとが混ざり合うのをさらに確実に防止することができる。
【００９９】
また、実施の形態２で用いられる配線シート１０としては、窪み３２を形成しないこと以外は実施の形態１で用いられた配線シート１０と同様の配線シート１０を用いることができる。
【０１００】
また、実施の形態２で用いられる配線シート１０としては、実施の形態１で用いられた窪み３２を有する配線シート１０を用いることもできる。この場合には、樹脂流動阻止部を窪み３２の周囲の接続用配線１４に対向する位置に設けることが好ましい。これにより、窪み３２の段差を構成する接続用配線１４上に樹脂流動阻止部を位置させることができるため、固定樹脂２２ａの裏面電極型太陽電池セル８の内側の領域への流入経路を効果的に狭くすることができる。
【０１０１】
＜太陽電池セルと配線シートとの位置合わせをする工程＞
次に、図６（ｂ）に示すように、裏面電極型太陽電池セル８のｎ型用電極６およびｐ型用電極７がそれぞれ配線シート１０の絶縁性基材１１上に設けられたｎ型用配線１２およびｐ型用配線１３と導電性粒子２１を含む絶縁性樹脂２０を介して対向するように、裏面電極型太陽電池セル８と配線シート１０との位置合わせを行なう。
【０１０２】
このとき、裏面電極型太陽電池セル８の突起部３３に対向する配線シート１０の領域に絶縁性基材１１の表面が位置するように、裏面電極型太陽電池セル８と配線シート１０との位置合わせが行なわれる。
【０１０３】
＜固定樹脂を設置する工程＞
次に、図６（ｃ）に示すように、裏面電極型太陽電池セル８の周縁部３１の少なくとも一部の領域と、配線シート１０との間に未硬化の固定樹脂２２ａを設置する。固定樹脂２２ａは、図８の模式的拡大平面図に示すように、裏面電極型太陽電池セル８の突起部３３よりも外側の領域に設置することができる。なお、図８のＶＩｃ−ＶＩｃに沿った断面が図６（ｃ）に示される断面に相当する。
【０１０４】
ここで、導電性粒子２１を含む絶縁性樹脂２０は裏面電極型太陽電池セル８の突起部３３よりも内側の領域に設置されているため、導電性粒子２１を含む絶縁性樹脂２０と固定樹脂２２ａとは互いに離れて位置している。
【０１０５】
上記のようにして未硬化の固定樹脂２２ａを設置することによって、裏面電極型太陽電池セル８の突起部３３により形成される段差により固定樹脂２２ａが裏面電極型太陽電池セル８の内側の領域に流入しにくくなる。そのため、裏面電極型太陽電池セル８の内側の領域に設置された導電性粒子２１を含む未硬化の絶縁性樹脂２０は、裏面電極型太陽電池セル８の突起部３３よりも外側に設置された未硬化の固定樹脂２２ａと接触せず、絶縁性樹脂２０と固定樹脂２２ａとの混ざり合いを抑制することができる。
【０１０６】
＜固定樹脂を硬化する工程＞
次に、図６（ｄ）に示すように、裏面電極型太陽電池セル８の突起部３３よりも外側に設置された未硬化の固定樹脂２２ａを硬化する工程が行なわれる。これにより、未硬化の固定樹脂２２ａが硬化することによって固定樹脂２２となり、硬化後の固定樹脂２２によって裏面電極型太陽電池セル８が配線シート１０に仮固定される。
【０１０７】
＜封止材によって封止する工程＞
次に、図６（ｅ）に示すように、上記のように固定樹脂２２によって裏面電極型太陽電池セル８が配線シート１０に仮固定された配線シート１０を表面保護材１７と裏面保護材１９との間の封止材１８によって封止する工程が行なわれる。この封止材１８によって封止する工程は、導電性粒子２１を含む未硬化の絶縁性樹脂２０を硬化する工程も含んでいる。
【０１０８】
実施の形態２においても、封止材によって封止する工程は、たとえば、固定樹脂２２によって裏面電極型太陽電池セル８が仮固定された配線シート１０を封止材１８を備えた表面保護材１７と、封止材１８を備えた裏面保護材１９との間に挟み込み、表面保護材１７と裏面保護材１９との間を加圧しながら加熱することにより行なうことができる。
【０１０９】
導電性粒子２１は、上記の加圧および加熱によって、裏面電極型太陽電池セル８の電極と配線シート１０の配線との間で溶融して凝集した後に冷却されて固化することによって導電性物質２１ａとなる。この導電性物質２１ａにより、裏面電極型太陽電池セル８の電極（ｎ型用電極６およびｐ型用電極７）と配線シート１０の配線（ｎ型用配線１２およびｐ型用配線１３）との電気的接続を得ることができる。
【０１１０】
また、この溶融後の導電性粒子２１の凝集によって絶縁性樹脂２０が導電性粒子２１の外側に押し出され、裏面電極型太陽電池セル８の電極間と配線シート１０の配線間との間の領域に広がった後に硬化する。このとき、広がった絶縁性樹脂２０が固定樹脂２２と接触したとしても絶縁性樹脂同士であるため問題がない。
【０１１１】
以上により、裏面電極型太陽電池セル８のｎ型用電極６およびｐ型用電極７がそれぞれ配線シート１０のｎ型用配線１２およびｐ型用配線１３と導電性物質２１ａによって電気的に接続され、裏面電極型太陽電池セル８の電極間の領域と配線シート１０の配線間の領域とが硬化した絶縁性樹脂２０によって機械的に接続された構成を有する配線シート付き太陽電池セルが得られる。また、その配線シート付き太陽電池セルが表面保護材１７と裏面保護材１９との間の封止材１８によって封止された太陽電池モジュールが得られる。
【０１１２】
以上の構成を有する配線シート付き太陽電池セルおよび太陽電池モジュールは、裏面電極型太陽電池セル８の突起部３３よりも外側に未硬化の固定樹脂２２ａを設置し、固定樹脂２２ａが裏面電極型太陽電池セル８の内側の領域に回り込まないようにして、固定樹脂２２ａを硬化して固定樹脂２２としている。そのため、未硬化の固定樹脂２２ａが裏面電極型太陽電池セル８の内側の領域に設置された導電性粒子２１を含む絶縁性樹脂２０と混ざり合うのを抑制することができる。これにより、溶融した導電性粒子２１を裏面電極型太陽電池セル８の電極と配線シート１０の配線との間により確実に凝集することができるため、硬化した絶縁性樹脂２０により裏面電極型太陽電池セル８と配線シート１０との機械的な接続の安定性を向上させることができるとともに、導電性粒子２１が溶融して凝集した後に冷却されて固化した導電性物質２１ａによって裏面電極型太陽電池セル８の電極と配線シート１０の配線との電気的な接続の安定性を向上させることができる。
【０１１３】
実施の形態２における上記以外の説明は実施の形態１と同様であるため、その説明についてはここでは省略する。
【０１１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１５】
本発明は、配線シート付き太陽電池セル、太陽電池モジュール、配線シート付き太陽電池セルの製造方法および太陽電池モジュールの製造方法に好適に利用することができる。
【符号の説明】
【０１１６】
１  基板、１ａ  ダメージ層、２  ｎ型不純物拡散領域、３  ｐ型不純物拡散領域、４  パッシベーション膜、４ａ，４ｂ  コンタクトホール、５  反射防止膜、６  ｎ型用電極、７  ｐ型用電極、８  裏面電極型太陽電池セル、１０  配線シート、１１  絶縁性基材、１２  ｎ型用配線、１３  ｐ型用配線、１４  接続用配線、２０  絶縁性樹脂、２１  導電性粒子、２１ａ  導電性物質、２２ａ，２２  固定樹脂、３１  周縁部、３２  窪み、３３  突起部、４１  導電層、４２  レジスト、４３  矢印。
【図１】
0005159860.tif 000002
【図２】
0005159860.tif 000003
【図３】
0005159860.tif 000004
【図４】
0005159860.tif 000005
【図５】
0005159860.tif 000006
【図６】
0005159860.tif 000007
【図７】
0005159860.tif 000008
【図８】
0005159860.tif 000009